(57)【要約】【課題】握る力が低下した人でも開栓操作や閉栓操作を容易に行うことができる旋回力付与の補助部材を備えた容器蓋を提供する。【解決手段】天面壁１１と該天面壁の周縁から垂下する筒状のスカート壁１２とを有し、該スカート壁はその一部を半径方向に拡径した拡径部１４を有するとともに、該拡径部の外周部には、該外周部の外側に突出し、軸１０ａ方向に延在する滑り止め用のナール部１３を周方向に亘って複数形成した容器蓋１０において、該拡径部の端部には、一端１６ａが回動自在にヒンジ連結され前記スカート壁の外周部に沿って伸延し該拡径部の外径と同一となるような外周面を有する開栓補助手段１６が少なくとも１個形成されており、該開栓補助手段は、外周面に外面ナール部１６ｅを有しており、ヒンジ１７を基点としてその他端１６ｂを前記スカート壁の外方に拡開することによって、容器蓋の開栓時の旋回力付与の補助部材とする。【選択図】図１
2014172649.tif 000002
【特許請求の範囲】
【請求項１】
天面壁と該天面壁の周縁から垂下する筒状のスカート壁とを有し、
該スカート壁はその一部を半径方向に拡径した拡径部を有するとともに、
該拡径部の外周部には、該外周部の外側に突出し、軸方向に延在する滑り止め用のナール部を周方向に亘って複数形成した容器蓋において、
該拡径部の端部には、一端が回動自在にヒンジ連結され前記スカート壁の外周部に沿って伸延し該拡径部の外径と同一となるような外周面を有する開栓補助手段が少なくとも１個形成されており、
該開栓補助手段は、外周面に外面ナール部を有しており、
ヒンジを基点としてその他端を前記スカート壁の外方に拡開することによって、
容器蓋の開栓時の旋回力付与の補助部材となることを特徴とする容器蓋。
【請求項２】
前記開栓補助手段は、前記スカート壁の外周部に沿って閉栓方向に伸延することを特徴とする請求項１に記載の容器蓋。
【請求項３】
前記開栓補助手段は、その内周面に内面ナール部を有し、
前記スカート壁は、該開栓補助手段の収納時に該開栓補助手段の内周面と対向する部分に係合用ナール部を有していることを特徴とする請求項１又は２に記載の容器蓋。
【請求項４】
前記該係合用ナール部の突起部が、前記開栓補助手段の前記内面ナール部の突起部と交互に位置するようにしたことを特徴とする請求項３に記載の容器蓋。
【請求項５】
前記開栓補助手段及び前記スカート壁には、収納時の該開栓補助手段を該スカート壁に係止する係止手段が備えられていることを特徴とする請求項１乃至４のいずれか１項に記載の容器蓋。
【請求項６】
前記開栓補助手段の自由端側に隣接する前記スカート壁の外周面には、ナール部が全く形成されていない非ナール部が備えられていることを特徴とする請求項１乃至５のいずれか１項に記載の容器蓋。
【請求項７】
前記開栓補助手段は、容器蓋と薄肉のブリッジで接続されており、
ヒンジを基点としてその他端を前記スカート壁の外方に拡開するときに該ブリッジを切断するようにしたことを特徴とする請求項１乃至６のいずれか１項に記載の容器蓋。
【発明の詳細な説明】
【技術分野】
【０００１】
本発明は、飲料、洗剤、薬剤などの液体を収容する容器の口部に設けられ、ネジ機構を備えた容器蓋の開栓又は閉栓時の旋回力付与の補助部材を備えた容器蓋に関する。
【背景技術】
【０００２】
コーヒーや清涼飲料水などの容器の容器蓋には、容器蓋を開閉する際の滑り止め用として、有底円筒体形状の天面壁の周縁から垂下する筒状のスカート壁の外周部に、その外側に突出するように、軸方向に延在するナール部（いわゆる縦リブ、ローレットなどともいう）が周方向に亘って複数形成されている。
近年、省資源化、コスト削減のため、容器蓋は、スカート壁の高さの低いものや容器蓋の径の小さいものが使用されている。
このような場合、指で容器蓋の外周を握る面積が小さくなり、開栓初期において大きな力を必要とする。
また、容器蓋の径の小さいものでは指で握る力が掛かり難く、開栓時の困難さがある。このような開栓時の困難さを解決するため、容器蓋の開栓を容易にしたものがある。例えば、特許文献１には、ペットボトルのキャップの外径形状に合致する内径形状をもつリング状本体の側面にハンドル部と小さな穴を設け、ペットボトルのキャップを開ける機能を持たせると同時に、ハンドル部に缶入り飲料のプルを開ける機能を持たせ、ペットボトルを開ける際にはリング状本体が径の大きな開栓補助具として働くようにした携帯ジュースオープナーが記載されている。
【０００３】
【特許文献１】特開２００４−７５１８６号公報
【発明の概要】
【発明が解決しようとする課題】
【０００４】
しかしながら、特許文献１の開栓補助具は、容器蓋とは別体であるために、外出時等においては携行しなければならず、開栓の都度取り付け、使用後は取り外すという点で煩雑面倒であり、また嵩張るという問題がある。
【０００５】
本発明は、上記問題点に鑑み、ネジ機構を備えた容器蓋の開栓操作や閉栓操作時において、容器蓋の回転操作時における容器開口部と容器蓋との相対的な回転に必要とされる旋回力を増幅させたものとすることができ、握る力が低下した人でも開栓操作や閉栓操作を容易に行うことができる旋回力付与の補助部材を備えた容器蓋を提供することを目的とする。
【課題を解決するための手段】
【０００６】
（１）本発明の容器蓋は、天面壁と該天面壁の周縁から垂下する筒状のスカート壁とを有し、該スカート壁はその一部を半径方向に拡径した拡径部を有するとともに、該拡径部の外周部には、該外周部の外側に突出し、軸方向に延在する滑り止め用のナール部を周方向に亘って複数形成した容器蓋において、該拡径部の端部には、一端が回動自在にヒンジ連結され前記スカート壁の外周部に沿って伸延し該拡径部の外径と同一となるような外周面を有する開栓補助手段が少なくとも１個形成されており、該開栓補助手段は、外周面に外面ナール部を有しており、ヒンジを基点としてその他端を前記スカート壁の外方に拡開することによって、容器蓋の開栓時の旋回力付与の補助部材となることを特徴とする。
（２）本発明の容器蓋は、上記（１）において、前記開栓補助手段は、前記スカート壁の外周部に沿って閉栓方向に伸延することを特徴とする。
（３）本発明の容器蓋は、上記（１）又は（２）において、前記開栓補助手段は、その内周面に内面ナール部を有し、前記スカート壁は、該開栓補助手段の収納時に該開栓補助手段の内周面と対向する部分に係合用ナール部を有していることを特徴とする。
（４）本発明の容器蓋は、上記（３）において、前記該係合用ナール部の突起部が、前記開栓補助手段の前記内面ナール部の突起部と交互に位置するようにしたことを特徴とする。
（５）本発明の容器蓋は、上記（１）乃至（４）のいずれかにおいて、前記開栓補助手段及び前記スカート壁には、収納時の該開栓補助手段を該スカート壁に係止する係止手段が備えられていることを特徴とする。
（６）本発明の容器蓋は、上記（１）乃至（５）のいずれかにおいて、前記開栓補助手段の自由端側に隣接する前記スカート壁の外周面には、ナール部が全く形成されていない非ナール部が備えられていることを特徴とする。
（７）本発明の容器蓋は、上記（１）乃至（６）のいずれかにおいて、前記開栓補助手段は、容器蓋と薄肉のブリッジで接続されており、ヒンジを基点としてその他端を前記スカート壁の外方に拡開するときに該ブリッジを切断するようにしたことを特徴とする。
【発明の効果】
【０００７】
本発明の容器蓋は、ネジ機構を備えた容器蓋の開栓操作の補助部材であって、非操作時には容器蓋の非拡径部内に収納され、操作時には容器蓋の非拡径部から拡開させ、容器蓋と一体的に回転する大径部を形成する開栓補助手段を備えているので、容器蓋の回転操作時における容器開口部と容器蓋との相対的な回転に必要とされる旋回力を増幅させたものとすることができる。
また、本発明の容器蓋は、開栓補助手段の外周面が拡径部の外径と同一となるような外周面を有しているので、キャッピング装置による容器蓋の巻き締めの際、容器蓋のスカート壁を把持する容器蓋用チャックが安定したキャッピングが可能となる。
さらに、外観形状は通常の飲料キャップと変わらないので、使用者にも受け入れられるデザインである。
【図面の簡単な説明】
【０００８】
【図１】本発明の実施形態の容器蓋の斜視図である。
【図２】（ａ）は実施形態の容器蓋の平面図であり、（ｂ）は正面図である。
【図３】（ａ）（ｂ）は図２（ａ）の部分拡大図である。
【図４】図２（ｂ）の部分拡大図である。
【図５】（ａ）は図３（ｂ）のＡ−Ａ縦半断面図であり、（ｂ）はＢ−Ｂ縦半断面図であり、（ｃ）はＣ−Ｃ縦半断面図であり、（ｄ）はＤ−Ｄ縦半断面図である。
【図６】（ａ）は実施形態の容器蓋の開栓用補助手段を拡開させた使用状態を示す平面図であり、（ｂ）はその部分拡大図である。
【発明を実施するための形態】
【０００９】
以下、本発明の実施形態の容器蓋について、図面を参照しながら説明する。
実施形態の容器蓋は、略円筒状の容器口部を有する外周部に形成された雄ネジ部に螺合して、飲料、洗剤、薬剤などの液体を収容する容器の口部を開閉する。
容器としては、例えば、ポリエチレンテレフタレート製の透明樹脂をブロー成形することによって形成され、略円筒状の胴部の下端に底部を有し、上部が窄まって形成される容器口部を有するペットボトルなどが挙げられる。
【００１０】
実施形態の容器蓋を、図１の斜視図、図２（ａ）の平面図、（ｂ）の正面図、図３及び図４の部分拡大図、図５の縦半断面図、図６の使用状態を参照しながら説明する。
この容器蓋１０は、ポリエチレン、ポリプロピレンなどの合成樹脂などから形成され、円板形状の天面壁１１とこの天面壁１１の周縁から垂下する筒状のスカート壁１２とを有する。
スカート壁１２の内周部には、螺旋状の雌ネジ部４１が形成されており（図５参照）、容器口部４０の外周部に形成される雄ネジ部４２（図５参照）に螺合するようになっている。
雌ネジ部４１を容器口部４０の雄ネジ部４２に螺合して容器蓋１０を容器口部４０に閉栓する際には、容器蓋１０の一端側を閉塞する天面壁１１によって容器口部４０を閉塞し、容器口部４０を繰り返し開放可能に閉塞することができるように構成されている。
【００１１】
＜拡径部＞
また、スカート壁１２には、その上端から下端に亘って、その一部を半径方向に拡径した拡径部１４を有している。すなわち、拡径部１４においては、平面視で天面壁１１の径が部分的に半径方向に拡径されており、この拡径された天面壁１１の周縁からスカート壁１２が垂下している。
なお、容器蓋１０のスカート壁１２の外周部のうち、拡径部１４以外の外周部を非拡径部１５とする。よって、スカート壁１２は、拡径部１４と非拡径部１５との組み合わせから構成されている。
【００１２】
＜ナール部＞
また、容器蓋１０の拡径部１４の外周部には、容器蓋１０の軸１０ａ方向に延在する複数のナール部１３が、外周部の外側に突出した突起部として周方向に亘って形成されている。このナール部１３は、キャッピング装置による容器蓋１０の容器口部４０への巻き締めや、容器蓋１０の開栓操作において指押さえ時の滑り止め用の機能を果たす。
【００１３】
＜開栓補助手段＞
また、容器蓋１０の拡径部１４の端部には、弧状の開栓補助手段１６が少なくとも１個設けられている（実施形態では開栓補助手段１６が２個の場合を示している）。
この開栓補助手段１６は、容器蓋１０の開栓操作時における補助部材であり、容器口部と容器蓋との相対的な回動に必要とされる旋回力をより小さなものとするためのものであり、容器蓋１０に一体的に設えられ、非操作時には非拡径部１５内へ収納されている。
なお、開栓補助手段１６の外周部にも、複数の外面ナール部１６ｅが、外周部の外側に突出し、拡径部１４のナール部１３と同一の間隔で周方向に亘って形成されている。また、外面ナール部１６ｅは、拡径部１４のナール部１３と同一の突出高さで形成されている。
【００１４】
＜連結部＞
開栓補助手段１６は、その一端１６ａが、連結部１７によって拡径部１４に回動自在にヒンジ連結され、他端は自由端１６ｂとなっており、操作時には、容器蓋１０から開栓補助手段１６の自由端１６ｂ側を拡開させて、容器蓋１０と一体的に回動する開栓補助手段１６の回動半径を増大させて大径部を形成する。すなわち、開栓操作時において、連結部１７を基点として他端（自由端１６ｂ側）を水平面内で回動させて、拡径部１４から離脱拡開させるように構成されている。これにより、開栓補助手段１６は、容器蓋１０の開栓操作をするための旋回力を、容器蓋１０に増幅して伝達することができる。
なお、開栓補助手段１６は、スカート壁１２の周長の約四分の一程度の長さ、スカート壁１２の上端から下端に亘る高さに設定され、スカート壁１２の外周部に沿って、非拡径部１５に収納し得るように湾曲しており、全体として弧状且つ板状に形成されている。
連結部１７は、拡径部１４の外周部の端部において、開栓補助手段１６の一端１６ａをヒンジ連結して、開栓補助手段１６を回動自在にする部位である。容器蓋１０とヒンジ連結することにより、開栓補助手段１６に対して加えた旋回力を、連結部１７を介して容器蓋１０に対して直接的に伝達して、容器蓋１０と一体的に回転させることができる。
なお、開栓補助手段１６は、容器蓋１０の上面から見て、スカート壁１２の外周部に沿って連結部１７から閉栓方向ｙに伸延させて形成されている。
開栓操作時においては、連結部１７を基点として開栓補助手段１６の自由端１６ｂ側をスカート壁１２の外周部から離脱させて拡開していき、指でスカート壁１２を握りながら、開栓補助手段１６の内周面を指で押すことによって、容器蓋１０の開栓の補助が可能となる。
【００１５】
＜開栓補助手段の外径＞
開栓補助手段１６は、スカート壁１２の外周部に沿って伸延した外周面を備えており、その外径１６ｃは、容器蓋１０の拡径部１４の外径１２ｃと同一となるように弧状に形成されている（図２（ａ）参照）。
こうすることによって、開栓補助手段１６は、開栓操作前には、外径方向に嵩張らず、且つ、開栓操作時には開栓補助手段１６をレバーのようにして拡開させることによって容器蓋１０に旋回力を付与することが可能となり、手や指を痛めることなく開栓操作時の補助効果を得ることができるようになる。
また、前述より、外面ナール部１６ｅとナール部１３とは同一の間隔および同一の突出高さで形成されていることからも明らかのように、キャッピング装置による容器蓋１０の巻き締めの際、容器蓋のスカート壁１２が容器蓋用チャックで把持されるが、従来と同様の安定したキャッピングが可能となる。
【００１６】
＜内面ナール部、係合用ナール部＞
開栓補助手段１６の内周面には、内面ナール部１６ｄの突起部が形成されている。この内面ナール部１６ｄは、開栓補助手段１６を非拡径部１５に収納した際に、スカート壁１２の、内面ナール部１６ｄと対向する部分に形成された係合用ナール部１２ａの突起部と係合するように構成されている。すなわち、開栓補助手段１６の収納時において、内面ナール部１６ｄの突起部と係合用ナール部１２ａの突起部とを、干渉しないように交互に配置している。
これにより、開栓補助手段１６の内面ナール部１６ｄの突起部と、スカート壁１２の係合用ナール部１２ａの突起部とを、互いに係り止め状態とすることができ、開栓補助手段１６を容器蓋１０の非拡開部１５から容易に拡開しないように収納させておくことができる。
なお、スカート壁１２の係合用ナール部１２ａの突起部は、開栓補助手段１６を非拡径部１５に収納したときに、開栓補助手段１６の内面ナール部１６ｄの突起部の閉栓方向ｙ側近傍に位置するように形成することが好ましい（図３（ａ）参照）。
これは、容器蓋１０を閉栓する際、スカート壁１２の外周面からｙ方向への力が加えられ、それに伴って内面ナール部１６ｄの突起部へもｙ方向の力が伝わる。その際、内面ナール部１６ｄの突起部よりもｙ側近傍に係合用ナール部１２ａを配置し、内面ナール部１６ｄと係合用ナール部１２ａとを互いに当接させることによって、内面ナール部１６ｄから係合用ナール部１２ａへとｙ方向の力を伝え、すなわち、容器蓋１０へと有効に力の伝達が可能となる。
これにより、キャッピング装置によってキャッピングする際に、開栓補助手段１６を含むスカート壁を把持して回転する力を容器蓋１０に直接伝達することができるので、従来と同様の安定したキャッピングが可能となる。
【００１７】
＜係止手段＞（突起物と隙間で係止）
開栓補助手段１６及びスカート壁１２には、収納時の開栓補助手段１６をスカート壁１２に係止するための係止手段１９が備えられていることが望ましい。すなわち、開栓補助手段１６の他端である自由端１６ｂの一部（スカート壁１２の下部）に隙間１９ｂを設け、対応するスカート壁１２には、僅かに外方に突出させた突起部１９ａを設け、この突起部１９ａ及び隙間１９ｂを係止手段１９とし、開栓補助手段１６を非拡径部１５に収納した際に、開栓補助手段１６に形成された隙間１９ｂをスカート壁１２の突起部１９ａに係止させて、開栓補助手段１６とスカート壁１２とを係止状態に保持することができるように構成されている。
これにより、非操作時には、開栓補助手段１６の隙間１９ｂをスカート壁１２の突起部１９ａに係止させて係止状態とし、適宜、開栓補助手段１６を安定して非拡径部１５内に収納させることができ、邪魔にならないようにすることができると共に、容器蓋の外観を損なうこともない。
開栓操作時には、突起部１９ａから隙間１９ｂを離脱させて係止状態を解除し、開栓補助手段１６を拡開させるようにすることができ、開栓補助手段１６の拡開、収納の繰返し操作を容易化できる。
【００１８】
＜ブリッジ＞
また、開栓補助手段１６の下方部には、複数の薄肉のブリッジ２０を設け、容器蓋１０と接続させることができる。この薄肉のブリッジ２０は、開栓補助手段１６と容器蓋１０の非拡径部１５とを繋ぐ部位であり、本形態においては、開栓補助手段１６の下部内周面と非拡径部１５の下部外周面とを繋いでおり、所定以上の力を加えると容易に断裂させ得、未操作状態であることを示唆すると共に、操作状態以前の状態（例えば、製品流通段階）において開栓補助手段１６が誤って拡開してしまうことを未然に防止することができ、安定的に容器蓋１０に接続させておくためのものである。
使用者が、容器蓋１０の開栓操作をする場合には、先ず操作初回時に、開栓補助手段１６に開栓方向ｘに適当な大きさの拡開力を加えて、容器蓋１０と開栓補助手段１６とを接続しているブリッジ２０を断裂させる。そして、そのまま連結部１７を基点として開栓補助手段１６の自由端１６ｂ側を開栓方向ｘに回動させる（図６参照）。
【００１９】
＜非ナール部＞
また、開栓補助手段１６の自由端１６ｂ側に隣接するスカート壁１２の非拡径部１５の外周面には、ナール部が全く形成されていない非ナール部２１が備えられていることが望ましい。これにより、開栓補助手段１６の自由端１６に指を掛けやすくして拡開しやすくすることができる。
【産業上の利用可能性】
【００２０】
本発明の容器蓋は、ネジ機構を備えた容器蓋の開栓操作の補助部材であって、非操作時には容器蓋の非拡径部内に収納され、操作時には容器蓋の非拡径部から拡開させ、容器蓋と一体的に回転する大径部を形成する開栓補助手段を備えており、容器蓋の回転操作時における容器開口部と容器蓋との相対的な回転に必要とされる旋回力を増幅させることができるように構成されるものであって、産業上において様々な形態で実施することができる。
【符号の説明】
【００２１】
１０  容器蓋
１０ａ  容器蓋の軸
１１  天面壁
１２  スカート壁
１２ａ  係合用ナール部
１２ｃ  拡径部の外径
１３  ナール部
１４  拡径部
１５  非拡径部
１６  開栓補助手段
１６ａ  開栓補助手段の一端
１６ｂ  開栓補助手段の自由端（他端）
１６ｃ  開栓補助手段の外径
１６ｄ  内面ナール部
１６ｅ  外面ナール部
１７  連結部
１９  係止手段
１９ａ  突起部
１９ｂ  隙間
２０  ブリッジ
２１  非ナール部
４１  雌ネジ部
４２  雄ネジ部
４０  容器口部
ｘ  開栓方向
ｙ  閉栓方向
【図１】
2014172649.tif 000003
【図２】
2014172649.tif 000004
【図３】
2014172649.tif 000005
【図４】
2014172649.tif 000006
【図５】
2014172649.tif 000007
【図６】
2014172649.tif 000008